(57)【要約】【課題】重心を簡単に設定することができる低重心構造のゴルフクラブヘッドを提供する。【解決手段】打撃面２１１が形成される上、該打撃面がボールに接触する際に地面に近い第１の端縁部２０８と、該第１の端縁部２０８の反対側にある第２の端縁部２０９とを有している打撃板２と、打撃面２１２の反対面２１２側における第１の端縁部２０８近くと離間するように配置され、且つ、該反対面２１２から離れる方向に延伸すると共に、打撃面２１１がボールに接触する際に地面に近い側の面である底面に取り付け溝３００があるように形成されているおもり３と、打撃板２とおもり３とに繋がると共に、取り付け溝３００を覆うように配置されている取り付け部５と、を備えている。【選択図】図３
2020014824.tif 000002
【特許請求の範囲】
【請求項１】
打撃面が形成される上、該打撃面がボールに接触する際に地面に近い第１の端縁部と、該第１の端縁部の反対側にある第２の端縁部とを有している打撃板と、
前記打撃面の反対面側における前記第１の端縁部近くと離間するように配置され、且つ、該反対面から離れる方向に延伸すると共に、前記打撃面がボールに接触する際に地面に近い側の面である底面に取り付け溝があるように形成されているおもりと、
前記打撃板と前記おもりとに繋がると共に、前記取り付け溝を覆うように配置されている取り付け部と、
を備えていることを特徴とするゴルフクラブヘッド。
【請求項２】
前記打撃板の前記第１の端縁部及び前記第２の端縁部は、いずれも、前記反対面が面する方向へ延伸して折れ曲がり状になっており、
前記打撃板の、前記第１の端縁部と前記第２の端縁部との間には、該第１の端縁部と該第２の端縁部とを連結すると共に、前記打撃面と前記反対面とを形成する板体部が備わっていることを特徴とする請求項１に記載のゴルフクラブヘッド。
【請求項３】
前記打撃板における前記反対面の周縁から前記おもりと接続するように延伸している連結部を備えていることを特徴とする請求項２に記載のゴルフクラブヘッド。
【請求項４】
前記打撃板の前記第２の端縁部における前記反対面の周縁から前記おもりと接続するように延伸している連結部を備えていることを特徴とする請求項２に記載のゴルフクラブヘッド。
【請求項５】
前記連結部には開口が形成されていて、前記連結部は該開口を封止する封止板を有することを特徴とする請求項４に記載のゴルフクラブヘッド。
【請求項６】
前記打撃板には、前記打撃面と前記反対面とを貫通する取付け孔が形成されており、前記板体部は前記取付け孔に嵌め込まれて固定されていることを特徴とする請求項４に記載のゴルフクラブヘッド。
【請求項７】
前記おもりは、
前記反対面における前記第１の端縁部近くと離間しているベース部と、  
前記ベース部の、前記打撃面がボールに接触する際に地面に近い側の面である底面の反対側にある頂端部から前記打撃板の前記反対面に向かって延伸して前記取り付け溝を形成している延伸部と、
の二部分からなっていることを特徴とする請求項３〜請求項６のいずれか一項に記載のゴルフクラブヘッド。
【請求項８】
前記取り付け部は、前記取り付け溝の開口近くに配置されて該取り付け溝の該取り付け部と前記延伸部との間に内空間が残されており、
また、前記延伸部と前記取り付け部との間の距離が、６ｍｍ以下になっていることを特徴とする請求項７に記載のゴルフクラブヘッド。
【請求項９】
前記延伸部の端縁と、前記打撃板の前記反対面との距離が、１ｍｍ〜６ｍｍの範囲内であることを特徴とする請求項７に記載のゴルフクラブヘッド。
【請求項１０】
前記内空間の内に、重心調整手段が前記延伸部に接続するように配置されていることを特徴とする請求項８に記載のゴルフクラブヘッド。
【請求項１１】
前記重心調整手段と、前記取り付け部との距離が、６ｍｍ以下であることを特徴とする請求項１０に記載のゴルフクラブヘッド。
【請求項１２】
前記取り付け部の厚さが、１ｍｍ〜４ｍｍの範囲内であることを特徴とする請求項１に記載のゴルフクラブヘッド。
【発明の詳細な説明】
【技術分野】
【０００１】
本発明は、ゴルフクラブヘッドに関し、特に重心を簡単に設定することができる低重心構造のゴルフクラブヘッドに関する。
【背景技術】
【０００２】
ゴルフボールの飛距離とそれに関わるゴルフクラブの操作性は、ゴルファーにとって重要であり、ゴルフクラブの製造業界においては、ゴルフクラブヘッドの性能がゴルフクラブ全体の操作性の評価に直結するとされる。
【０００３】
ここで、ゴルフクラブヘッドは、ボールの打撃時においてボールに接触することから、ゴルフクラブを構成する各部材の中でも特にボールの飛距離やゴルフクラブの操作性に影響を与えやすい。そのため、ボールの飛距離やゴルフクラブの操作性を向上させるために、反発力が高く、低重心のゴルフクラブヘッドが求められている。
【０００４】
図１に示されているように、特許文献１に記載された従来のゴルフクラブヘッド９は、鍛造により一体成形され、ボールの打撃時においてボールに当たる打撃面９１１と打撃面９１１の反対側の反対面９１２とを有する打撃板９１と、打撃板９１の上部に反対面９１２から延伸されているトップ側枠部９２と、打撃板９１の底部に反対面９１２から延伸され、且つ長さがトップ側枠部９２より長くなっているソール部９３と、打撃板９１とトップ側枠部９２とソール部９３とから取り囲まれ、打撃板９１の反対面９１２に向かって形成された凹部９４と、を備えている。
【０００５】
ソール部９３の重量がトップ側枠部９２よりも大きく形成されることによって、ゴルフクラブヘッド全体の重心を底部に移すことができ、そして凹部９４が形成されることによってボールを打撃した時の反発力を向上させ、ボールの飛距離を延ばす効果を達成することができるのみならず、ゴルフクラブの操作性や安定感の向上をも図ることができる。
【先行技術文献】
【特許文献】
【０００６】
【特許文献１】中国特許第１０５２５１１８８号明細書
【発明の概要】
【発明が解決しようとする課題】
【０００７】
しかしながら、特許文献１に記載した従来のゴルフクラブヘッドは、ゴルファーの要望に応じるべく、重心の位置を調整するためには、打撃板、トップ側枠部、ソール部などの部品をそれぞれ互いに合わせてゴルフクラブヘッドの全体構造を調整しなければならないので、重心調整のためのプロセスが複雑でコストがかかる欠点がある。
【０００８】
よって、本発明は上記問題点に鑑みて、上記欠点を解決できるゴルフクラブヘッドを提供することを目的とする。
【課題を解決するための手段】
【０００９】
上記目的を達成すべく、本発明は以下のゴルフクラブヘッドを提供する。 
【００１０】
即ち、打撃面が形成される上、該打撃面がボールに接触する際に地面に近い第１の端縁部と、該第１の端縁部の反対側にある第２の端縁部とを有している打撃板と、
打撃面の反対面側における第１の端縁部近くと離間するように配置され、且つ、該反対面から離れる方向に延伸すると共に、打撃面がボールに接触する際に地面に近い側の面である底面に取り付け溝があるように形成されているおもりと、
打撃板とおもりとに繋がると共に、取り付け溝を覆うように配置されている取り付け部と、を備えているゴルフクラブヘッドを提供する。
【発明の効果】
【００１１】
上記構成により、本発明に係るゴルフクラブヘッドは、打撃板とおもりの間に形成されている取り付け溝を覆うように配置されている取り付け部によって、ゴルフクラブヘッドの全体構造を調整しなくても、取り付け部の材質、重量、厚さなどを選定して、打撃板とおもりとを溶接加工により連結させることで、重心を簡単に設定することができ、そして重心調整のためのプロセスが簡略化され、コスト削減をも図ることができる。
【００１２】
また、打撃板とおもりとを間隔をあける設計により、ボールの打撃時においてボールに当たる打撃板が、反発力を向上させ、ボールの飛距離を延ばすことができる。
【図面の簡単な説明】
【００１３】
【図１】特許文献１に記載された従来のゴルフクラブヘッドが示される斜視断面図である。
【図２】本発明に係るゴルフクラブヘッドの第１の実施形態が示される分解斜視図である。
【図３】該第１の実施形態のゴルフクラブヘッドが示される側面の断面図である。
【図４】該第１の実施形態のゴルフクラブヘッドの取り付け溝を覆うように配置されている取り付け部が示される下面図である。
【図５】本発明に係るゴルフクラブヘッドの第２の実施形態が示される側面の模式的断面図である。
【図６】本発明に係るゴルフクラブヘッドの第３の実施形態が示される側面の模式的断面図である。
【図７】本発明に係るゴルフクラブヘッドの第４の実施形態が示される側面の模式的断面図である。
【発明を実施するための形態】
【００１４】
図２〜図４を参照して本発明の第１の実施形態を説明する。ここで、図２は本発明に係るゴルフクラブヘッド１の第１の実施形態が示される分解斜視図であり、図３は該第１の実施形態のゴルフクラブヘッドが示される側面の断面図であり、また、図４は該第１の実施形態のゴルフクラブヘッドの取り付け溝を覆うように配置されている取り付け部が示される下面図である。
【００１５】
図２に示されるように、本発明に係るゴルフクラブヘッド１の第１の実施形態は、低重心構造のゴルフクラブヘッド１であって、打撃板２と、おもり３と、連結部４と、取り付け部５と、を備えている。
【００１６】
打撃板２は、図３に示されるように、打撃面２１１が形成される上、打球時に該打撃面２１１がボールに接触する際に地面に近い側となる端縁部である第１の端縁部２０８と、打撃面２１１がボールに接触する際に地面から遠い側、即ち該第１の端縁部２０８の反対側にある第２の端縁部２０９とを有している。
【００１７】
また、打撃板２の第１の端縁部２０８及び第２の端縁部２０９は、いずれも、反対面２１２が面する方向へ延伸して折れ曲がり状になっている。且つ、打撃板２の、第１の端縁部２０８と第２の端縁部２０９との間には、該第１の端縁部２０８と該第２の端縁部２０９とを連結すると共に、打撃面２１１と反対面２１２とを形成する板体部２１が備わっている。
【００１８】
おもり３は、図３に示されるように、反対面２１２における第１の端縁部２０８近くと離間するように配置され、且つ、該反対面２１２から離れる方向に延伸すると共に、打撃面２１１がボールに接触する際に地面に近い側の面である底面に取り付け溝３００があるように形成されている。
【００１９】
また、本実施形態においておもり３は、反対面２１２における第１の端縁部２０８近くと離間しているベース部３１と、ベース部３１の、打撃面２１１がボールに接触する際に地面に近い側の面である底面の反対側にある頂端部から打撃板２の反対面２１２に向かって延伸して取り付け溝３００を形成している延伸部３２と、の二部分からなっている。
【００２０】
また、延伸部３２の端縁と、打撃板２の反対面２１２との距離は、１ｍｍ〜６ｍｍの範囲内とすることができる。
【００２１】
本実施形態では、連結部４は、図３に示されるように、打撃板２における反対面２１２の周縁からおもり３のベース部３１と接続するように延伸している。
【００２２】
取り付け部５は、図２〜図４に示されるように、板状であり、且つ、打撃板２とおもり３とに溶接加工により繋げられている共に、取り付け溝３００を覆うように配置されている。
【００２３】
より具体的には、取り付け部５は、取り付け溝３００の開口近くに配置されて、該取り付け溝３００の該取り付け部５とおもり３の延伸部３２との間に内空間３２０が残されている。また、延伸部３２と取り付け部５との間の距離は、６ｍｍ以下とすることができる。
【００２４】
取り付け部５の材質、重量、厚さなどを選定することによって、ゴルフクラブヘッド１全体の重心をボールの打撃時においてボールに接触する際に地面に近い底面及び打撃板２により近い箇所に移すことができるため、ボールの反発力を向上させ、ゴルフクラブの操作性や打撃効果を向上させることができる。
【００２５】
本実施形態では、取り付け部５の厚さが、１ｍｍ〜４ｍｍの範囲内であり、且つ、取り付け部５の材質としては、場合によって、例えばステンレス鋼、炭素繊維、マルテンサイト、チタン合金、アルミニウム合金を用いることができる。
【００２６】
本実施形態によれば、ゴルフクラブヘッド１全体の構成を調整しなくても、取り付け部５の材質、重量、厚さなどを調整するだけで、ゴルファーの操作ニーズに対応して、ゴルフクラブヘッド１の重心を簡単に調整することができる。更に、低コストの溶接加工により打撃板２とおもり３とを連接させることで、コスト削減までも実現することができる。
【００２７】
なお、打撃板２とおもり３とを間隔をあけて配置する設計により（特に延伸部３２の端縁と打撃板２の反対面２１２との距離を１ｍｍ〜６ｍｍの範囲内とすることで）、ボールの打撃時においてボールに当たる打撃板２の、反発係数（Ｃｏｅｆｆｉｃｉｅｎｔ  ｏｆ  Ｒｅｓｔｉｔｕｔｉｏｎ、ＣＯＲ）を向上させ、ボールの飛距離及び初速度をも向上させることができる。
【００２８】
図５を参照して本発明の第２の実施形態を説明する。ここで、図５は本発明に係るゴルフクラブヘッドの第２の実施形態が示される側面の模式的断面図である。
【００２９】
図５に示されるように、本発明に係るゴルフクラブヘッド１の第２の実施形態は、打撃板２と、おもり３と、連結部４と、取り付け部５と、を備えている。
【００３０】
打撃板２は、打撃面２１１が形成される上、打球時に該打撃面２１１がボールに接触する際に地面に近い側となる端縁部である第１の端縁部２０８と、打撃面２１１がボールに接触する際に地面から遠い側、即ち該第１の端縁部２０８の反対側にある第２の端縁部２０９とを有している。
【００３１】
また、打撃板２の第１の端縁部２０８及び第２の端縁部２０９は、いずれも、反対面２１２が面する方向へ延伸して折れ曲がり状になっている。且つ、打撃板２の、第１の端縁部２０８と第２の端縁部２０９との間には、該第１の端縁部２０８と該第２の端縁部２０９とを連結すると共に、打撃面２１１と反対面２１２とを形成する板体部２１が備わっている。
【００３２】
おもり３は、反対面２１２における第１の端縁部２０８近くと離間するように配置され、且つ、該反対面２１２から離れる方向に延伸すると共に、打撃面２１１がボールに接触する際に地面に近い側の面である底面に取り付け溝３００があるように形成されている。
【００３３】
また、おもり３は、図５に示されるように、反対面２１２における第１の端縁部２０８近くと離間しているベース部３１と、ベース部３１の、打撃面２１１がボールに接触する際に地面に近い側の面である底面の反対側にある頂端部から打撃板２の反対面２１２に向かって延伸して取り付け溝３００を形成している延伸部３２と、の二部分からなっている。
【００３４】
本実施形態では主に連結部４の構成が第１の実施形態と異なり、本実施形態において連結部４は、図５に示されているように、打撃板２の第２の端縁部２０９における反対面２１２の周縁からおもり３のベース部３１と接続するように延伸している。また、連結部４は、開口４１が形成されていて、開口４１を封止する封止板４２を有するよう構成されている。
【００３５】
また、本実施形態では、封止板４２は、低密度のカーボンまたはその他の強靱な軽量材料からなっていて、連結部４に構成された開口４１を塞ぐよう接着により連結部４に固定される。
【００３６】
取り付け部５は、板状であり、且つ、打撃板２とおもり３とに溶接加工により繋げられていると共に、取り付け溝３００を覆うように配置されている。
【００３７】
具体的には、取り付け部５は、取り付け溝３００の開口近くに配置されて、該取り付け溝３００の該取り付け部５とおもり３の延伸部３２との間に内空間３２０が残されている。
【００３８】
図５に示されるように、本発明に係るゴルフクラブヘッド１の第２の実施形態では、取り付け部５によって、ゴルフクラブヘッド１の重心を簡単に調整することができる。更に、低コストの溶接加工により打撃板２とおもり３とを連接させることで、コスト削減を実現することができる。すなわち、本発明に係るゴルフクラブヘッド１の第２の実施形態でも、第１の実施形態と同様に、取り付け部５を利用して同様の効果を得ることができる。
【００３９】
図６を参照して本発明の第３の実施形態を説明する。ここで、図６は本発明に係るゴルフクラブヘッドの第３の実施形態が示される側面の模式的断面図である。
【００４０】
本発明に係るゴルフクラブヘッド１の第３の実施形態は、第２の実施形態と多くの構成が共通する。本実施形態では、図６に示されるように、打撃板２には、打撃面２１１と反対面２１２とを貫通する取付け孔２２０が更に形成されており、板体部２１は取付け孔２２０に嵌め込まれるように溶接加工により取付け孔２２０の周縁に固定されている。
【００４１】
本実施形態においては、ゴルフクラブヘッド１の重心を簡単に調整することができるだけでなく、ボールの打撃時においてボールに当たる板体部２１は、個別に設けられて取付け孔２２０に固定されるため、例えば、ボールの飛距離、落とし所、方向安定性といった要求に応じて、異なる反発係数（Ｃｏｅｆｆｉｃｉｅｎｔ  ｏｆ  Ｒｅｓｔｉｔｕｔｉｏｎ、ＣＯＲ）または特性時間（Ｃｈａｒａｃｔｅｒｉｓｔｉｃ  Ｔｉｍｅ、ＣＴ）の板体部２１を簡単に変更することができる。
【００４２】
図７を参照して本発明の第４の実施形態を説明する。ここで、図７は本発明に係るゴルフクラブヘッドの第４の実施形態が示される側面の模式的断面図である。
【００４３】
本発明に係るゴルフクラブヘッド１の第４の実施形態は、上記のいずれか１つの実施形態と多くの構成が共通する。本実施形態では、図７に示されるように、取り付け部５とおもり３の延伸部３２との間に画成された内空間３２０の内に、重心調整手段６が延伸部３２に接続するように配置されている。また、重心調整手段６と、取り付け部５との距離は、６ｍｍ以下とする。
【００４４】
ここで、重心調整手段６は、形状、重量、材質及びその他の要素を合わせて変換することによって、異なる重心位置を調整することができ、且つ、打撃板２とおもり３とを繋ぐように配置されている取り付け部５と共に、ゴルフクラブヘッド１の重心を簡単に調整することができる。
【００４５】
総括すると、本発明に係るゴルフクラブヘッド１は、取り付け部５によって、ゴルフクラブヘッド１の全体構造を変えることなく、取り付け部５の材質、重量、厚さなどを選定することにより、溶接加工を行って打撃板２とおもり３とに連結させ、ゴルフクラブヘッド１の重心を簡単に調整することができる。そして、低コストの溶接加工によりコスト削減をも実現することができる。
【００４６】
また、打撃板２とおもり３とが間隔をあけて配置される構成により、ボールの打撃時においてボールに当たる打撃板２の反発力を向上させ、ボールの飛距離を延ばすことができる。
【００４７】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。
【００４８】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【産業上の利用可能性】
【００４９】
本発明は、上記のように記載されたゴルフクラブヘッドの取り付け部によって、ゴルフクラブヘッドの全体構造を変更することなく、重心を簡単に設定することができる。
【００５０】
また、打撃板２とおもり３とが間隔をあけて配置される構成によって、優れた反発力を得ることができ、ゴルフクラブの打撃効果を向上させることができる。そのため、産業上の利用可能性がある。
【符号の説明】
【００５１】
１  ゴルフクラブヘッド
２  打撃板
２０８  第１の端縁部
２０９  第２の端縁部
２１  板体部
２１１  打撃面
２１２  反対面
２２０  取付け孔
３  おもり
３００  取り付け溝
３１  ベース部
３２  延伸部
３２０  内空間
４  連結部
４１  開口
４２  封止板
５  取り付け部
６  重心調整手段
９  従来のゴルフクラブヘッド
９１  打撃板
９１１  打撃面
９１２  反対面
９２  トップ側枠部
９３  ソール部
９４  凹部
【図１】
2020014824.tif 000003
【図２】
2020014824.tif 000004
【図３】
2020014824.tif 000005
【図４】
2020014824.tif 000006
【図５】
2020014824.tif 000007
【図６】
2020014824.tif 000008
【図７】
2020014824.tif 000009